(57)【要約】      （修正有）【課題】払出部により払い出された媒体が長い場合でも当該媒体を蓋部に貼り付かせることなく収容部内に整列された状態で集積させることができる販売装置および媒体の払い出し方法を提供する。【解決手段】販売装置は、媒体を払い出す払出部２２と、払出部２２により払い出された媒体が収容される収容部２４と、払出部２２により払い出された媒体が収容部２４に収容される際に当該媒体を蓋部２６から離間する方向に誘導する誘導手段とを備えている。【選択図】図３
2016192038.tif 000002
【特許請求の範囲】
【請求項１】
媒体を払い出す払出部と、
前記払出部により払い出された媒体が収容される収容部と、
前記収容部に設けられ、開閉自在となっている蓋部と、
前記払出部により払い出された媒体が前記収容部に収容される際に当該媒体を前記蓋部から離間する方向に誘導する誘導手段と、
を備えた、販売装置。
【請求項２】
前記払出部により払い出される媒体はシート状のものである、請求項１記載の販売装置。
【請求項３】
前記誘導手段は、前記蓋部の可動領域から離間した位置において前記収容部に形成された空間を含み、前記払出部により払い出された媒体が当該空間に誘導されるようになっている、請求項１または２記載の販売装置。
【請求項４】
前記空間は前記収容部における前記蓋部とは反対側に設けられている、請求項３記載の販売装置。
【請求項５】
前記誘導手段は、前記払出部により払い出された媒体が前記蓋部に接しないよう当該媒体を案内するガイド部を含む、請求項１乃至４のいずれか一項に記載の販売装置。
【請求項６】
前記ガイド部は、その上端に設けられた軸を中心として回転自在となるよう当該軸から自重により垂れ下がっている、請求項５記載の販売装置。
【請求項７】
前記蓋部は、前記収容部の前面側に設けられるとともに前記収容部の内側に開くようになっており、
前記ガイド部は、前記蓋部を前記収容部の内側に開いたときに当該蓋部により押されて前記軸を中心として前記収容部の背面側に回転するようになっている、請求項６記載の販売装置。
【請求項８】
前記払出部は、媒体を供給するための給紙ロールと、前記給紙ロールから巻き出された媒体に印刷を行う印字部材とを有しており、前記印字部材により印刷が行われた媒体が払い出されるようになっており、
前記払出部により払い出された媒体は、前記収容部における前記蓋部とは反対側が凹形状となるような湾曲状態となる、請求項１乃至７のいずれか一項に記載の販売装置。
【請求項９】
少なくとも前記収容部の内部または周囲に光を照射する照射部を更に備え、
前記照射部は、前記払出部により払い出される媒体の色、または前記払出部により払い出される媒体の種類に応じて異なる色で光を照射するようになっている、請求項１乃至８のいずれか一項に記載の販売装置。
【請求項１０】
少なくとも前記収容部の内部または周囲に光を照射する照射部を更に備え、
前記照射部は、前記払出部の前記印字部材による媒体への印刷内容に応じて異なる色で光を照射するようになっている、請求項８記載の販売装置。
【請求項１１】
払出部により媒体を払い出す工程と、
前記払出部により払い出された媒体を収容部に収容する工程と、
を備え、
前記払出部により払い出された媒体を前記収容部に収容する際に、前記収容部に設けられ開閉自在となっている蓋部から離間する方向に媒体を誘導する、媒体の払い出し方法。
【発明の詳細な説明】
【技術分野】
【０００１】
本発明は、レシート等の媒体の払い出しを行う販売装置およびこのような販売装置による媒体の払い出し方法に関する。
【背景技術】
【０００２】
一般的に、自動販売機等の販売機において、レシート等の媒体に印刷を行うことにより発券を行う発券機構が設けられている。例えば、特許文献１には、ロール紙を利用するタイプの発券機構が開示されている。このような発券機構では、給紙ロールから巻き出された帯状のロール紙に対してプリンタ等により所定内容の印刷が行われた後、当該ロール紙はカッター等により切断され、切断されたロール紙はチケットとして発行口から横方向に向かって発行され、発行口から発行されたチケットは当該発行口の横方向に密着配置された取出ボックスに収容されるようになっている。
【先行技術文献】
【特許文献】
【０００３】
【特許文献１】特開２００１−２２９４１１号公報
【発明の概要】
【発明が解決しようとする課題】
【０００４】
しかしながら、特許文献１に開示されるような従来の発券機構では、長いレシートを発券する場合に、当該レシートは給紙ロールから巻き出されたものであり湾曲状態（カール状態）となっているため、レシートの端部が取出ボックスの前面側に設けられた蓋に静電気によって貼り付いてしまい、取出ボックスからのレシートの取り出し忘れ等の問題が生じてしまうおそれがある。また、従来の発券機構では、様々な長さのレシートが発券される場合に、取出ボックス内でのレシート毎の落ち方がバラバラとなってしまい、取出ボックス内にレシートが整列された状態で集積されないという問題があった。
【０００５】
本発明は、このような点を考慮してなされたものであり、払出部により払い出された媒体が長い場合でも当該媒体を蓋部に貼り付かせることなく収容部内に整列された状態で集積させることができる販売装置および媒体の払い出し方法を提供することを目的とする。
【課題を解決するための手段】
【０００６】
本発明の販売装置は、媒体を払い出す払出部と、前記払出部により払い出された媒体が収容される収容部と、前記収容部に設けられ、開閉自在となっている蓋部と、前記払出部により払い出された媒体が前記収容部に収容される際に当該媒体を前記蓋部から離間する方向に誘導する誘導手段と、を備えたことを特徴とする。
【０００７】
このような販売装置によれば、払出部により払い出された媒体を収容部に収容する際に、この収容部に設けられ開閉自在となっている蓋部から離間する方向に媒体を誘導することにより、払出部により払い出された媒体が長い場合でも当該媒体を蓋部に貼り付かせることなく収容部内に整列された状態で集積させることができる。
【０００８】
本発明の販売装置においては、前記払出部により払い出される媒体はシート状のものであってもよい。
【０００９】
本発明の販売装置においては、前記誘導手段は、前記蓋部の可動領域から離間した位置において前記収容部に形成された空間を含み、前記払出部により払い出された媒体が当該空間に誘導されるようになっていてもよい。
【００１０】
この場合、前記空間は前記収容部における前記蓋部とは反対側に設けられていてもよい。
【００１１】
本発明の販売装置においては、前記誘導手段は、前記払出部により払い出された媒体が前記蓋部に接しないよう当該媒体を案内するガイド部を含んでいてもよい。
【００１２】
この場合、前記ガイド部は、その上端に設けられた軸を中心として回転自在となるよう当該軸から自重により垂れ下がっていてもよい。
【００１３】
また、前記蓋部は、前記収容部の前面側に設けられるとともに前記収容部の内側に開くようになっており、前記ガイド部は、前記蓋部を前記収容部の内側に開いたときに当該蓋部により押されて前記軸を中心として前記収容部の背面側に回転するようになっていてもよい。
【００１４】
本発明の販売装置においては、前記払出部は、媒体を供給するための給紙ロールと、前記給紙ロールから巻き出された媒体に印刷を行う印字部材とを有しており、前記印字部材により印刷が行われた媒体が払い出されるようになっており、前記払出部により払い出された媒体は、前記収容部における前記蓋部とは反対側が凹形状となるような湾曲状態となってもよい。
【００１５】
本発明の販売装置は、少なくとも前記収容部の内部または周囲に光を照射する照射部を更に備え、前記照射部は、前記払出部により払い出される媒体の色、または前記払出部により払い出される媒体の種類に応じて異なる色で光を照射するようになっていてもよい。
【００１６】
あるいは、本発明の販売装置は、少なくとも前記収容部の内部または周囲に光を照射する照射部を更に備え、前記照射部は、前記払出部の前記印字部材による媒体への印刷内容に応じて異なる色で光を照射するようになっていてもよい。
【００１７】
本発明の媒体の払い出し方法は、払出部により媒体を払い出す工程と、前記払出部により払い出された媒体を収容部に収容する工程と、を備え、前記払出部により払い出された媒体を前記収容部に収容する際に、前記収容部に設けられ開閉自在となっている蓋部から離間する方向に媒体を誘導することを特徴とする。
【００１８】
このような媒体の払い出し方法によれば、払出部により払い出されたレシート等の媒体を収容部に収容する際に、この収容部に設けられ開閉自在となっている蓋部から離間する方向に媒体を誘導することにより、払出部により払い出された媒体が長い場合でも当該媒体を蓋部に貼り付かせることなく収容部内に整列された状態で集積させることができる。
【発明の効果】
【００１９】
本発明の販売装置および媒体の払い出し方法によれば、払出部により払い出されたレシート等の媒体が長い場合でも当該媒体を蓋部に貼り付かせることなく収容部内に整列された状態で集積させることができる。
【図面の簡単な説明】
【００２０】
【図１】本発明の実施の形態による販売装置の外観を示す斜視図である。
【図２】図１に示す販売装置における発券機構に設けられた収容部の構成を示す斜視図である。
【図３】図１に示す販売装置における発券機構の構成の一例を示す側面図である。
【図４】図１に示す販売装置における発券機構の構成の他の例を示す側面図である。
【図５】図１に示す販売装置における前扉および液晶ユニット等を裏側から見たときの分解斜視図である。
【図６】図１に示す販売装置における前扉、上下方向調整用ブラケットおよび左右方向調整用ブラケットの構成を示す構成図である。
【図７】図１に示す販売装置において液晶ユニットを前扉に仮置きする際に液晶ユニット側の軸を前扉側の引っ掛け部に引っ掛けるときの動作を示す斜視図である。
【図８】（ａ）〜（ｃ）は、図６に示す上下方向調整用ブラケットおよび左右方向調整用ブラケットを前扉に取り付けたときの構成を示す構成図である。
【図９】図６に示す上下方向調整用ブラケットを前扉に取り付けるときの動作を示す側面図である。
【図１０】図６に示す左右方向調整用ブラケットを前扉に取り付けるときの動作を示す構成図である。
【発明を実施するための形態】
【００２１】
以下、図面を参照して本発明の実施の形態について説明する。図１乃至図１０は、本実施の形態による販売装置を示す図である。このうち、図１は、本実施の形態による販売装置の外観を示す斜視図であり、図２は、図１に示す販売装置における発券機構に設けられた収容部の構成を示す斜視図であり、図３および図４は、図１に示す販売装置における発券機構の構成の様々な例を示す側面図である。また、図５は、図１に示す販売装置における前扉および液晶ユニット等を裏側から見たときの分解斜視図であり、図６は、図１に示す販売装置における前扉、上下方向調整用ブラケットおよび左右方向調整用ブラケットの構成を示す構成図である。また、図７は、図１に示す販売装置において液晶ユニットを前扉に仮置きする際に液晶ユニット側の軸を前扉側の引っ掛け部に引っ掛けるときの動作を示す斜視図である。また、図８（ａ）〜（ｃ）は、図６に示す上下方向調整用ブラケットおよび左右方向調整用ブラケットを前扉に取り付けたときの構成を示す構成図である。また、図９は、図６に示す上下方向調整用ブラケットを前扉に取り付けるときの動作を示す側面図であり、図１０は、図６に示す左右方向調整用ブラケットを前扉に取り付けるときの動作を示す構成図である。
【００２２】
本実施の形態による販売装置１０は、シート状の媒体を払い出すものであり、具体的には本実施の形態による販売装置１０としてレシートを発券する発券装置が用いられるようになっている。より詳細には、発券装置としての販売装置１０により、電車やバス等の交通機関の乗車券や、各種の施設の入場券等のレシートが発券されるようになっている。本実施の形態による販売装置１０では、後述するように、発券機構２０において払出部２２の給紙ロール２３ａから巻き出された帯状のロール紙に対してプリンタ等の印字部材２３ｂにより所定内容の印刷が行われた後、当該ロール紙はカッター等の切断部材２３ｃにより切断され、切断されたロール紙がシート状のレシートとして収容部２４に収容されるようになっている。また、操作者はこのような収容部２４からシート状のレシートを取り出し可能となっている。
【００２３】
図１に示すように、本実施の形態による販売装置１０は略直方体形状の筐体１２を備えており、この筐体１２の前面には前扉１４が設けられている。また、前扉１４の上部領域には開口が設けられており、この開口には前扉１４の裏側から大型液晶タッチパネル等を含む液晶ユニット１６が取り付けられている。このような液晶ユニット１６には、発券装置としての販売装置１０により発券されるべきレシートについての様々な種類の候補のボタンが表示されるようになっており、販売装置１０の利用者が液晶ユニット１６の大型液晶タッチパネルに表示される複数のレシートの候補の中から一または複数の候補のボタンを押下して選択することにより選択された候補のレシートが販売装置１０から発券されるようになっている。
【００２４】
また、図１に示すように、本実施の形態による販売装置１０の前扉１４には、シート状のレシートの発券を行う発券機構２０が設けられている。図１乃至図３に示すように、このような発券機構２０は、シート状のレシートを払い出す払出部２２と、払出部２２により払い出されたシート状のレシートが収容される収容部２４と有している。なお、図３における収容部２４の左側の側面が筐体１２の前面側（すなわち、前扉１４側）となっており、図３における右方向が筐体１２の奥行き方向となっている。このため、発券機構２０において払出部２２は収容部２４よりも筐体１２の奥行き方向における奥側に設置されている。
【００２５】
図３に示すように、払出部２２は、帯状のロール紙が巻かれている給紙ロール２３ａと、給紙ロール２３ａから巻き出された帯状のロール紙に対して所定内容の印刷を行うプリンタ等の印字部材２３ｂと、印字部材２３ｂにより所定内容の印刷が行われたロール紙を切断するカッター等の切断部材２３ｃとを有しており、切断部材２３ｃにより切断されたロール紙がシート状のレシートとして払出部２２よりも手前側に設けられた収容部２４に収容されるようになっている。ここで、シート状のレシートは給紙ロール２３ａから巻き出された帯状のロール紙が切断されたものであるため、当該レシートは収容部２４における後述する蓋部２６とは反対側（すなわち、収容部２４の背面２４ａ側）が凹形状となるような湾曲状態となる。
【００２６】
収容部２４における筐体１２の前面側（すなわち、前扉１４側）には前面開口２４ｂが設けられている。また、図３に示すように、収容部２４の前面開口２４ｂには、当該前面開口２４ｂの開閉を行う蓋部２６が設けられている。このような蓋部２６は、その上端に設けられた軸２６ａを中心として回転自在となっている。より詳細には、蓋部２６は、図３において実線で示すような前面開口２４ｂを閉じる閉止位置と、図３において二点鎖線で示すような前面開口２４ｂを開く開口位置との間で軸２６ａを中心として回転自在となっている。このように、蓋部２６の可動領域は、図３において実線で示す閉止位置と図３において二点鎖線で示す開口位置との間の領域となっている。また、蓋部２６の軸２６ａには図示しないねじりバネが設けられており、このねじりバネにより蓋部２６は図３において実線で示す閉止位置に維持されるよう軸２６ａを中心として図３における時計回りの方向に付勢されるようになっている。また、販売装置１０の利用者が蓋部２６を収容部２４の奥側に押し込むと、軸２６ａに設けられた上記のねじりバネによる付勢力に抗して蓋部２６が軸２６ａを中心として図３における反時計回りの方向に回転し、この蓋部２６が図３において二点鎖線で示すような開口位置に位置することにより当該利用者は収容部２４に収容されているレシートを取り出すことができるようになる。なお、このような蓋部２６は例えば透明の材料から形成されている。このことにより、販売装置１０の利用者は蓋部２６を開かなくても筐体１２の外側から収容部２４の内部を見ることができるようになる。
【００２７】
本実施の形態では、払出部２２により払い出されたシート状のレシートが収容部２４に収容される際に当該レシートを蓋部２６から離間する方向に誘導する誘導手段が設けられている。このような誘導手段の詳細について以下に説明する。
【００２８】
本実施の形態の販売装置１０において、図３に示すように、収容部２４の背面２４ａは筐体１２の奥行き方向（すなわち、図３における右方向）において奥側に広がっており、収容部２４において蓋部２６の可動領域から離間した位置に空間２５が形成されている。このような空間２５は、収容部２４における蓋部２６とは反対側に設けられている。そして、払出部２２により払い出されたレシートはこのような収容部２４において蓋部２６の可動領域から離間した位置に形成された空間２５に誘導されるようになっている。このように、収容部２４において蓋部２６とは反対側に形成された空間２５は、払出部２２により払い出されたシート状のレシートが収容部２４に収容される際に当該レシートを蓋部２６から離間する方向に誘導する誘導手段として機能するようになる。
【００２９】
また、本実施の形態の販売装置１０では、上記の誘導手段として、払出部２２により払い出されたレシートが蓋部２６に接しないようこのレシートを払出部２２から上記の空間２５まで案内する棒状のガイド部２８が追加的に設けられている。このようなガイド部２８は収容部２４内において当該収容部２４の天井面から自重により垂れ下がるよう設けられている。なお、図３では１つのガイド部２８しか図示されていないが、実際には図２に示すように収容部２４内において左右一対の棒状のガイド部２８が互いに平行となるよう設けられている。また、各ガイド部２８は、その上端に設けられた軸２８ａを中心として回転自在となるよう当該軸２８ａから自重により垂れ下がるようになっている。
【００３０】
また、各ガイド部２８は、蓋部２６を収容部２４の内側に開いたときに当該蓋部２６により押されて軸２８ａを中心として収容部２４の背面側に回転するようになっている。具体的には、販売装置１０の利用者によって図３に示す実線位置から二点鎖線位置に蓋部２６が押されると、各ガイド部２８は蓋部２６により押されて図３に示す実線位置から二点鎖線位置に向かう方向に回転するようになる。
【００３１】
本実施の形態の発券機構２０において払出部２２から払い出されたレシートが収容部２４に収容されるまでの動作を図３において参照符号Ｐ１〜Ｐ４で示す。払出部２２において印字部材２３ｂにより印刷が行われた帯状のロール紙は図３において参照符号Ｐ１で示すようにこの払出部２２から手前側に延びるようになる。また、印字部材２３ｂにより印刷が行われた帯状のロール紙が切断部材２３ｃにより切断されると、切断されたロール紙はレシートとして払出部２２の手前側から自重により落下する。この際に、シート状のレシートは給紙ロール２３ａから巻き出された帯状のロール紙が切断されたものであるため、図３において参照符号Ｐ２で示すように切断されたレシートは収容部２４における蓋部２６とは反対側（すなわち、収容部２４の背面２４ａ側）が凹形状となるような湾曲状態となる。その後、切断されたレシートは自重により収容部２４の底面側に向かって落下するが、この際にレシートが一対のガイド部２８により案内されることによってレシートが蓋部２６から離間する方向に誘導されるようになり、払出部２２から払い出されたレシートが蓋部２６に接触することが防止されるようになる。また、収容部２４において蓋部２６とは反対側（すなわち、背面２４ａ）側に空間２５が形成されているため、図３において参照符号Ｐ３で示すように払出部２２により払い出されて自重により落下したレシートは当該空間２５に誘導されるようになる。その後、図３において参照符号Ｐ３で示す状態からレシートが自重により更に落下して当該レシートは図３において参照符号Ｐ４で示すように収容部２４の底面上に集積されるようになる。この際に、図３において参照符号Ｐ３で示す状態から自重により落下するレシートは収容部２４の背面２４ａ側に寄るように当該収容部２４の底面に着地するようになる。このため、一定範囲の長さのレシートであれば、複数枚かつ長さが異なるレシートが払出部２２から払い出される場合でも、これらのレシートを一定の方向に揃えて収容部２４の底面上に集積させることができるようになる。
【００３２】
本実施の形態の発券機構２０において、もし仮に収容部２４において蓋部２６とは反対側（すなわち、背面２４ａ）側に空間２５が形成されていない場合には（すなわち、収容部２４の背面２４ａが図３において上下方向に延びる二点鎖線で示す位置にある場合には）、払出部２２により払い出されたレシートのカールが強い（言い換えると、湾曲の度合いが大きい）ときに、このようなカールの強いレシートが各ガイド部２８を蓋部２６側に押動してこのレシートが蓋部２６側に寄ることによって当該レシートの端部が蓋部２６に静電気により貼り付いてしまうおそれがある。また、払出部２２により払い出されたレシートのカールが更に強い場合には、レシートが巻いてしまうことにより当該レシートが各ガイド部２８と収容部２４の背面２４ａとの間に挟まってしまい、レシートが収容部２４の底面上に集積されなくなってしまうおそれがある。ここで、レシートの端部が蓋部２６に静電気によって貼り付いたり、レシートが各ガイド部２８と収容部２４の背面２４ａとの間に挟まってしまった場合には、当該レシートは収容部２４の底面上に集積されなくなるため販売装置１０の利用者が蓋部２６を収容部２４の内側に開いたときにこの収容部２４からレシートを取り出し忘れてしまうおそれがある。これに対し、本実施の形態では、収容部２４において蓋部２６とは反対側（すなわち、背面２４ａ）側に空間２５が形成されているため、払出部２２により払い出されたレシートは蓋部２６に貼り付くことなく収容部２４の底面上に集積されるようになり、よって収容部２４からのレシートの取り出し忘れ等が生じることを防止することができるようになる。
【００３３】
また、本実施の形態の発券機構２０において、もし仮に各ガイド部２８が収容部２４の内部に設けられていない場合には、当該収容部２４において蓋部２６とは反対側（すなわち、背面２４ａ）側に空間２５が形成されていても、払出部２２により払い出されたレシートのカールが強い（言い換えると、湾曲の度合いが大きい）ときに、このようなカールの強いレシートが蓋部２６側に寄ることによって当該レシートの端部が蓋部２６に静電気により貼り付いてしまうおそれがある。これに対し、本実施の形態では、各ガイド部２８が収容部２４の内部に設けられているため、払出部２２により払い出されたレシートは各ガイド部２８により蓋部２６から離間する方向に誘導されるようになり、当該レシートの端部が蓋部２６に静電気により貼り付いてしまうことを防止することができるようになる。このため、収容部２４からのレシートの取り出し忘れ等が生じることを防止することができるようになる。また、このような誘導手段として機能する各ガイド部２８を収容部２４の内部に設けない場合には、払出部２２から払い出されたレシートの端部が蓋部２６に静電気により貼り付かないようにするために、払出部２２と収容部２４との間の通路を図３に示すような構成よりも長くする必要があった。これに対し、本実施の形態では、各ガイド部２８を収容部２４の内部に設けることにより、払出部２２と収容部２４との間の通路を従来技術よりも短くすることができ、よって発券機構２０の省スペース化を図ることができるようになる。
【００３４】
また、本実施の形態の発券機構２０では、収容部２４の内部における天井面に、当該収容部２４の内部または周囲に光を照射するＬＥＤ等の照射部３０が取り付けられている。図３において、照射部３０により照射される光の範囲を二点鎖線で示す。なお、図３では１つの照射部３０が図示されているが、実際には図２に示すように収容部２４の内部における天井面に互いに異なる色の光を照射する複数（図２に示す例では３つ）の照射部３０が取り付けられており、各照射部３０により例えば赤色の光、青色の光および緑色の光がそれぞれ収容部２４の内部または周囲に照射されるようになっている。このことにより、発券機構２０において払出部２２により払い出されて収容部２４の底面上に集積されたレシートは各照射部３０により様々な色で照射されるようになり、よって収容部２４の内部やこの収容部２４に収容されているレシートを目立たせることができるようになるため、収容部２４からのレシートの取り出し忘れを防止することができるようになる。
【００３５】
ここで、本実施の形態では、発券機構２０により発券されるチケットの種類や、払出部２２の印字部材２３ｂによるチケットへの印字内容に応じて異なる色で各照射部３０により光が照射されるようになっている。このことにより、払出部２２により払い出されたレシートを収容部２４に収容させる動作に対して各照射部３０により演出効果を付加することができるようになり、よって販売装置１０の利用者をリピーターとすることを促進することができるようになる。また、他の例として、発券機構２０により発券されるチケットの色（すなわち、払出部２２の給紙ロール２３ａに巻かれている帯状のロール紙の色）に対応する色で、各照射部３０により収容部２４の内部または周囲に光が照射されるようになっていてもよい。
【００３６】
また、本実施の形態では、各照射部３０により照射される光の色が所定のパターンで切り替わるようになっていてもよい。また、各照射部３０により収容部２４の内部または周囲に各色の光が照射される代わりに、あるいは各照射部３０により収容部２４の内部または周囲に各色の光が照射されることに加えて、図示しないプロジェクターにより収容部２４の内部または周囲に映像が投影されるようになっていてもよい。これらの技術的事項によれば、払出部２２により払い出されたレシートを収容部２４に収容させる動作に対して各照射部３０により付加される演出効果をより一層向上させることができるようになる。
【００３７】
次に、本実施の形態の販売装置１０において、前扉１４の裏側に液晶ユニット１６を取り付ける方法について図５乃至図１０を用いて説明する。本実施の形態では、前扉１４の裏側から液晶ユニット１６を取り付けるにあたり、図５や図６等に示すような上下方向調整用ブラケット５０および左右方向調整用ブラケット５１が用いられるようになっている。なお、これらの上下方向調整用ブラケット５０および左右方向調整用ブラケット５１はそれぞれ板金を折り曲げることにより形成されるようになっている。
【００３８】
図７に示すように、液晶ユニット１６の上端部における左右の両側縁の近傍には軸１６ａが設けられている。また、図５に示すように、前扉１４の上部領域に設けられた開口の上縁部における左右の両側縁の近傍には、液晶ユニット１６の軸１６ａが引っ掛けられる引っ掛け部１４ａが設けられている。本実施の形態の販売装置１０では、前扉１４の裏側に液晶ユニット１６を取り付けるにあたり、まず液晶ユニット１６の左右一対の軸１６ａをそれぞれ前扉１４の左右一対の引っ掛け部１４ａに引っ掛けることにより前扉１４への液晶ユニット１６の仮留めを行う。このことにより、前扉１４の裏側に液晶ユニット１６を取り付ける最中における作業員による液晶ユニット１６の保持が不要となる。また、図７に示すように各引っ掛け部１４ａの端部には上方に突出する突起が設けられており、このことにより、当該引っ掛け部１４ａに液晶ユニット１６の軸１６ａが引っ掛けられたときにこの液晶ユニット１６の脱落や転倒が防止されるようになる。なお、このような引っ掛け部１４ａは、図５に示すように前扉１４の開口の上縁部に設けられることに限定されることはない。他の例として、液晶ユニット１６の軸１６ａが引っ掛けられる引っ掛け部が前扉１４の開口の側縁部に設けられるようになっていてもよい。
【００３９】
次に、図５や図６に示すような上下方向調整用ブラケット５０を用いることにより、前扉１４に仮留めされた液晶ユニット１６の下端部を、前扉１４の上部領域に設けられた開口の下縁部１４ｃ（図９参照）に取り付ける。具体的には、液晶ユニット１６の下端部に設けられたビス固定用穴（図示せず）および上下方向調整用ブラケット５０に設けられたビス固定用穴５０ｂ（図８（ｂ）参照）に固定ビス６０を通すことにより、液晶ユニット１６に上下方向調整用ブラケット５０を取り付けて固定する。また、前扉１４の開口の下縁部１４ｃに設けられたビス固定用穴（図示せず）および上下方向調整用ブラケット５０に設けられた上下方向に延びる長穴からなるビス固定用穴５０ａ（図８（ｂ）参照）に固定ビス６２を通すことにより、前扉１４に上下方向調整用ブラケット５０を取り付けて固定する。ここで、本実施の形態では、固定ビス６２によって前扉１４に上下方向調整用ブラケット５０を取り付けて固定する前に、図９に示すように、調整用ビス５２によって前扉１４の開口の下縁部１４ｃに対する上下方向調整用ブラケット５０の上下方向の位置合わせを行う。より詳細には、前扉１４の開口の下縁部１４ｃに設けられたネジ穴からなる貫通穴（図示せず）に調整用ビス５２を通すとともにこの調整用ビス５２の先端部分を上下方向調整用ブラケット５０の下面に接触させ、ドライバー５４によってこの調整用ビス５２を回すことにより前扉１４の開口の下縁部１４ｃに対する上下方向調整用ブラケット５０の上下方向における位置を調整する。そして、調整用ビス５２によって前扉１４の開口の下縁部１４ｃに対する上下方向調整用ブラケット５０の上下方向の位置合わせを行った後、固定ビス６２によって前扉１４に上下方向調整用ブラケット５０を取り付けて固定する。この際に、図８（ｂ）に示すようにビス固定用穴５０ａが上下方向に延びる長穴となっていることにより、固定ビス６２をビス固定用穴５０ａに通す際に上下方向の調整ガタを持たせることができるようになり、よって前扉１４の開口の下縁部１４ｃと上下方向調整用ブラケット５０との間の距離の大きさに関係なく固定ビス６２によって前扉１４に上下方向調整用ブラケット５０を確実に取り付けて固定することができるようになる。
【００４０】
上下方向調整用ブラケット５０によって液晶ユニット１６の下端部を前扉１４の上部領域に設けられた開口の下縁部１４ｃに取り付けた後、図５や図６に示すような左右方向調整用ブラケット５１を用いることにより、液晶ユニット１６の側端部（具体的には、液晶ユニット１６を裏側から見た右端部）を、前扉１４の開口の側縁部１４ｄ（図１０参照）に取り付ける。具体的には、液晶ユニット１６の側端部に設けられた上下方向に延びる長穴からなるビス固定用穴１６ｂ（図１０参照）および左右方向調整用ブラケット５１に設けられたビス固定用穴５１ｂ（図１０参照）に固定ビス７０を通すことにより、液晶ユニット１６に左右方向調整用ブラケット５１を取り付けて固定する。また、前扉１４の開口の側縁部１４ｄに設けられたビス固定用穴（図示せず）および左右方向調整用ブラケット５１に設けられた左右方向に延びる長穴からなるビス固定用穴５１ａ（図１０参照）に固定ビス７２を通すことにより、前扉１４に左右方向調整用ブラケット５１を取り付けて固定する。ここで、本実施の形態では、固定ビス７２によって前扉１４に左右方向調整用ブラケット５１を取り付けて固定する前に、図１０に示すように、前扉１４の開口の側縁部１４ｄに前もって形成されている目印１４ｂに、左右方向調整用ブラケット５１の上端部に形成された凹部５１ｃの位置を合わせることにより、前扉１４の開口の側縁部１４ｄに対する左右方向調整用ブラケット５１の左右方向の位置合わせを行う。そして、目印１４ｂに凹部５１ｃの位置を合わせることにより前扉１４の開口の側縁部１４ｄに対する左右方向調整用ブラケット５１の左右方向の位置合わせを行った後、固定ビス７２によって前扉１４に左右方向調整用ブラケット５１を取り付けて固定する。この際に、図１０に示すようにビス固定用穴５１ａが左右方向に延びる長穴となっていることにより、固定ビス７２をビス固定用穴５１ａに通す際に左右方向の調整ガタを持たせることができるようになり、よって前扉１４の開口の側縁部１４ｄと左右方向調整用ブラケット５１との間の距離の大きさに関係なく固定ビス７２によって前扉１４に左右方向調整用ブラケット５１を確実に取り付けて固定することができるようになる。
【００４１】
このように、本実施の形態では、前扉１４の裏側から液晶ユニット１６を取り付けるにあたり、図５や図６等に示すような上下方向調整用ブラケット５０および左右方向調整用ブラケット５１を用い、まず液晶ユニット１６の左右一対の軸１６ａをそれぞれ前扉１４の左右一対の引っ掛け部１４ａに引っ掛けることにより前扉１４への液晶ユニット１６の仮留めを行うため、重量が大きい液晶ユニット１６を前扉１４の裏側に取り付ける場合でもこのような液晶ユニット１６の取り付け作業を容易かつ安全に行うことができる。また、前扉１４への液晶ユニット１６の仮留めを行った後、調整用ビス５２によって前扉１４の開口の下縁部１４ｃに対する上下方向調整用ブラケット５０の上下方向の位置合わせを行うとともに、前扉１４の開口の側縁部１４ｄに対する左右方向調整用ブラケット５１の左右方向の位置合わせを行うことにより、前扉１４に取り付けられる液晶ユニット１６の位置を精度良く調整することができるようになる。さらに、上記のような前扉１４に対する液晶ユニット１６の取り付け方法によれば、液晶ユニット１６のみを交換する際に、上下方向調整用ブラケット５０および左右方向調整用ブラケット５１をそれぞれ前扉１４の開口の下縁部１４ｃおよび側縁部１４ｄに残すことにより、新たな液晶ユニット１６を前扉１４に取り付ける際に再び位置合わせを行う必要がなくなる。
【００４２】
以上のような構成からなる本実施の形態の販売装置１０およびこのような販売装置１０による媒体の払い出し方法によれば、払出部２２により払い出された媒体が収容部２４に収容される際に当該媒体を蓋部２６から離間する方向に誘導する誘導手段が設けられている。このことにより、払出部２２により払い出された媒体が収容部２４に収容される際に蓋部２６から離間する方向に媒体が誘導されるようになるため、払出部２２により払い出された媒体が長い場合でも当該媒体を蓋部２６に貼り付かせることなく収容部２４内に整列された状態で集積させることができるようになり、よって収容部２４からの媒体の取り出し忘れ等が生じることを防止することができるようになる。ここで、本実施の形態では、払出部２２により払い出される媒体はシート状のもの（具体的には、レシート）からなる。
【００４３】
また、本実施の形態の販売装置１０においては、上述したように、誘導手段は、蓋部２６の可動領域から離間した位置において収容部２４に形成された空間２５を含み、払出部２２により払い出された媒体が当該空間２５に誘導されるようになっている。この場合には、払出部２２により払い出された媒体のカールが強いときでも、このようなカールの強い媒体が蓋部２６に貼り付いてしまったり、各ガイド部２８と収容部２４の背面２４ａとの間に挟まってしまったりすることがないため、媒体が収容部２４の底面上に確実に集積されるようになる。なお、このような空間２５は、収容部２４における蓋部２６とは反対側に設けられている。
【００４４】
また、本実施の形態の販売装置１０においては、上述したように、誘導手段は、払出部２２により払い出された媒体が蓋部２６に接しないよう当該媒体を案内する各ガイド部２８を含んでいる。この場合には、払出部２２により払い出された媒体のカールが強いときでも、払出部２２により払い出された媒体と蓋部２６との間に位置する各ガイド部２８によって当該媒体が蓋部２６に貼り付いてしまうことが防止され、媒体が収容部２４の底面上に確実に集積されるようになる。ここで、ガイド部２８は、その上端に設けられた軸２８ａを中心として回転自在となるよう当該軸２８ａから自重により垂れ下がっている。また、蓋部２６は、収容部２４の前面側に設けられるとともに収容部２４の内部に開くようになっており、各ガイド部２８は、蓋部２６を収容部２４の内側に開いたときに当該蓋部２６により押されて軸２８ａを中心として収容部２４の背面側に回転するようになっている。
【００４５】
また、本実施の形態の販売装置１０においては、上述したように、払出部２２は、給紙ロール２３ａと、給紙ロール２３ａから巻き出された媒体に印刷を行う印字部材２３ｂとを有しており、この印字部材２３ｂにより印刷が行われた媒体が払い出されるようになっている。そして、払出部２２から払い出された媒体は、収容部２４における蓋部２６とは反対側が凹形状となるような湾曲状態となる。
【００４６】
また、本実施の形態の販売装置１０は、上述したように、少なくとも収容部２４の内部または周囲に光を照射する各照射部３０を更に備え、各照射部３０は、払出部２２により払い出される媒体の色や種類、あるいは払出部２２の印字部材２３ｂによる媒体への印刷内容に応じて異なる色で光を照射するようになっている。この場合には、払出部２２により払い出された媒体を収容部２４に収容させる動作に対して各照射部３０により演出効果を付加することができるようになり、よって販売装置１０の利用者をリピーターとすることを促進することができるようになる。
【００４７】
なお、本実施の形態による販売装置およびこのような販売装置による媒体の払い出し方法は上述した態様に限定されることはなく、様々な変更を加えることができる。
【００４８】
例えば、払出部２２により払い出されたレシート等の媒体が収容部２４に収容される際に当該媒体を蓋部２６から離間する方向に誘導する誘導手段として、上記の例では収容部２４における蓋部２６とは反対側に空間２５を形成しているが、このような空間２５の位置は収容部２４における蓋部２６とは反対側の位置に限定されることはない。他の例として、誘導手段として機能する、蓋部２６の可動領域から離間した位置において収容部２４に形成された空間２５は、収容部２４における背面側ではなく底面側に設けられていてもよい。このような構成例について図４を用いて説明する。
【００４９】
図４に示すような変形例に係る発券機構２０ａでは、収容部２４の底面２４ｃは、筐体１２の奥行き方向に向かうに従って下方向に広がるよう斜め下方に傾斜するようになっており、収容部２４においてこの底面２４ｃ側に空間２５ａが形成されている。そして、払出部２２により払い出されたレシートはこのような収容部２４において蓋部２６の可動領域から離間した位置に形成された空間２５ａに誘導されるようになっている。このように、収容部２４において底面２４ｃ側に設けられた空間２５ａは、払出部２２により払い出されたシート状のレシートが収容部２４に収容される際に当該レシートを蓋部２６から離間する方向に誘導する誘導手段として機能するようになる。
【００５０】
図４に示すような変形例に係る発券機構２０ａにおいて払出部２２から払い出されたレシートが収容部２４に収容されるまでの動作を図４において参照符号Ｐ１〜Ｐ４で示す。払出部２２において印字部材２３ｂにより印刷が行われた帯状のロール紙は図４において参照符号Ｐ１で示すようにこの払出部２２から手前側に延びるようになる。また、印字部材２３ｂにより印刷が行われた帯状のロール紙が切断部材２３ｃにより切断されると、切断されたロール紙はレシートとして払出部２２の手前側から自重により落下する。この際に、シート状のレシートは給紙ロール２３ａから巻き出された帯状のロール紙が切断されたものであるため、図４において参照符号Ｐ２で示すように切断されたレシートは収容部２４における蓋部２６とは反対側（すなわち、収容部２４の背面側）が凹形状となるような湾曲状態となる。その後、切断されたレシートは自重により収容部２４の底面側に向かって落下するが、この際にレシートが一対のガイド部２８により案内されることによってレシートが蓋部２６から離間する方向に誘導されるようになり、払出部２２から払い出されたレシートが蓋部２６に接触することが防止されるようになる。また、収容部２４の底面２４ｃ側に空間２５が形成されているため、図４において参照符号Ｐ３で示すように払出部２２により払い出されて自重により落下したレシートは当該空間２５ａに誘導されるようになる。その後、図４において参照符号Ｐ３で示す状態からレシートが自重により更に落下して当該レシートは図４において参照符号Ｐ４で示すように収容部２４の底面２４ｃ上に集積されるようになる。この際に、図４において参照符号Ｐ３で示す状態から自重により落下するレシートは空間２５ａに誘導されることによって収容部２４の背面側に寄るように当該収容部２４の底面２４ｃに着地するようになる。このため、一定範囲の長さのレシートであれば、複数枚かつ長さが異なるレシートが払出部２２から払い出される場合でも、これらのレシートを一定の方向に揃えて収容部２４の底面２４ｃ上に集積させることができるようになる。
【００５１】
また、本発明による販売装置は、印字部材２３ｂにより印刷が行われたシート状のレシートを払い出すものに限定されることはない。本発明による販売装置として、印刷が行われたシート状のレシート以外の媒体を払い出すものが用いられてもよい。例えば、本発明による販売装置を、媒体としてタバコを払い出すようなタバコ販売機等、媒体の払い出しを行うことができる製品全般に応用することができる。
【符号の説明】
【００５２】
１０    販売装置
１２    筐体
１４    前扉
１４ａ  引っ掛け部
１４ｂ  目印
１４ｃ  下縁部
１４ｄ  側縁部
１６    液晶ユニット
１６ａ  軸
１６ｂ  ビス固定用穴
２０、２０ａ  発券機構
２２    払出部
２３ａ  給紙ロール
２３ｂ  印字部材
２３ｃ  切断部材
２４    収容部
２４ａ  背面
２４ｂ  前面開口
２４ｃ  底面
２５、２５ａ  空間
２６    蓋部
２６ａ  軸
２８    ガイド部
２８ａ  軸
３０    照射部
５０    上下方向調整用ブラケット
５０ａ、５０ｂ  ビス固定用穴
５１    左右方向調整用ブラケット
５１ａ、５１ｂ  ビス固定用穴
５１ｃ  凹部
５２    調整用ビス
５４    ドライバー
６０、６２、７０、７２  固定ビス
【図１】
2016192038.tif 000003
【図２】
2016192038.tif 000004
【図３】
2016192038.tif 000005
【図４】
2016192038.tif 000006
【図５】
2016192038.tif 000007
【図６】
2016192038.tif 000008
【図７】
2016192038.tif 000009
【図８】
2016192038.tif 000010
【図９】
2016192038.tif 000011
【図１０】
2016192038.tif 000012